(57)【要約】      （修正有）【課題】工事現場の足場の危険性を低減するとともに、近隣建物に対して悪影響を及ぼさない基礎構造及びその基礎工法を提供する。【解決手段】建物の最下部において地盤上に構築される基礎構造であって、建物の最下部において地盤上に所定厚さのコンクリートで形成され、その底面が平坦なコンクリートスラブ４と、コンクリートスラブ４内に水平に埋設される鉄骨であって、少なくともコンクリートスラブ４の周縁部において所定間隔離間されて配置される水平鉄骨２１と、コンクリートスラブ４内に配置された水平鉄骨２１の間に建込まれる鉄筋籠であって、水平鉄骨２１間を相互に接続する接続鉄筋部３ｂｃと、コンクリートスラブ４内において水平鉄骨２１に対して垂直に接続される鉄骨で形成された柱脚部２３とを備える。【選択図】図３
2018017041.tif 000002
【特許請求の範囲】
【請求項１】
建物の最下部において地盤上に構築される基礎構造であって、
前記建物の最下部において前記地盤上に所定厚さのコンクリートで形成され、その底面が平坦なコンクリートスラブと、
前記コンクリートスラブ内に水平に埋設される鉄骨であって、少なくとも前記コンクリートスラブの周縁部において所定間隔離間されて配置される水平鉄骨と、
前記コンクリートスラブ内に配置された前記水平鉄骨の間に建込まれる鉄筋籠であって、前記水平鉄骨間を相互に接続する接続鉄筋部と、
前記コンクリートスラブ内において前記水平鉄骨に対して垂直に接続される鉄骨で形成された柱脚部と
を備えることを特徴とする基礎構造。
【請求項２】
前記水平鉄骨は、前記コンクリートスラブ内において前記水平鉄骨に接続された鉄骨であって、前記コンクリートスラブの周縁部から水平方向内側に向けて突出される内梁部を含むことを特徴とする請求項１に記載の基礎構造。
【請求項３】
前記接続鉄筋部は、その接続鉄筋部の端部に接続された前記水平鉄骨を構成する鉄骨の端部から当該水平鉄骨に接続された前記柱脚部に至る領域において、当該水平鉄骨を構成する鉄骨を内包するオーバーラップ部を有することを特徴とする請求項１又は２に記載の基礎構造。
【請求項４】
前記水平鉄骨の前記柱脚部を囲繞するとともに、当該水平鉄骨を構成する各鉄骨の端部を内包する複数の前記オーバーラップ部を相互に接続する囲繞鉄筋部をさらに備えることを特徴とする請求項３に記載の基礎構造。
【請求項５】
前記水平鉄骨を前記コンクリートスラブの底面から所定距離だけ離間させて支持する底面支持部をさらに備え、
前記底面支持部は、前記接続鉄筋部の最下部に配筋された鉄筋の断面直径よりも長い前記所定距離を確保している
ことを特徴とする請求項１に記載の基礎構造。
【請求項６】
請求項１に記載の基礎構造を構築する基礎工法であって、
前記地盤を前記コンクリートスラブの厚さ分だけ掘削し前記コンクリートスラブの形状に合致した底面が平坦な掘削部を形成する工程と、
前記掘削部の底面から所定距離だけ離間させて前記水平鉄骨を支持して複数配置し、各水平鉄骨に対して垂直に前記柱脚部をそれぞれ接続するとともに、前記水平鉄骨の間に鉄筋籠を建込むことによって、前記水平鉄骨間を相互に接続する接続鉄筋部を構築する工程と、
前記掘削溝にコンクリートを打設して前記コンクリートスラブを形成する工程と
を含むことを特徴とする基礎工法。
【発明の詳細な説明】
【技術分野】
【０００１】
本発明は、建物の最下部において地盤上に構築される基礎構造及びその基礎工法に関する。
【背景技術】
【０００２】
従来、鉄骨架構における鉄骨柱の柱脚と、建物の基礎構造とを連結する柱脚固定の方式としては、基礎コンクリートと鉄骨柱の間をアンカーボルトで連結するものがある。この方法では、アンカーボルトをコンクリートに植設されなければならないことから、基礎が完成してからでないと鉄骨柱が立てられず、建設工程のネックとなる場合がある。また、この方法では、柱脚部の固定部分に曲げモーメントが発生することから、基礎に従来の軸力、水平力の他に過大な曲げモーメントが付加され、その基礎は堅牢に構築する必要があった。
【０００３】
これに対し、鉄骨柱の柱脚を半固定にすることにより曲げモーメントを低減するとともに、鉄骨工事を捨てコンクリート工事の直後に開始可能とする工法も提案されている（例えば、特許文献１参照）。この特許文献１に開示された工法では、地盤掘削部に打設されたコンクリートの上部で、鉄骨柱の曲げモーメントに抵抗する２本以上の第２基礎鉄骨梁と、この第２基礎鉄骨梁の間を繋ぎ、鉄骨柱を挟む位置における一部で前記掘削部に打設するコンクリートとの間に空隙等による梁可撓領域を形成した第１基礎鉄骨梁と、当該第１基礎鉄骨梁の上面に接合される鉄骨柱とからなり、各基礎鉄骨梁をコンクリートに埋設する。
【先行技術文献】
【特許文献】
【０００４】
【特許文献１】特開２００２−１２１７４７号公報
【発明の概要】
【発明が解決しようとする課題】
【０００５】
しかしながら、上述した引用文献１に開示された工法では、第２の基礎鉄骨梁を埋設するための掘削溝と、この第２の基礎鉄骨梁の上部においてこれら第２鉄骨梁の間を繋ぐための第１基礎鉄骨梁を埋設するための梁可撓領域を形成するなど、基礎構造の底面形状が複雑な形状となるとともに、２つの基礎鉄骨梁を上下に組み上げて埋設するために十分な深さの掘削溝を形成しなければならないという問題があった。
【０００６】
このような複雑で深い掘削溝を掘削する工事では、工事現場の足場が複雑になるうえ掘削溝が深いことから、作業員の転倒や墜落等の事故が発生する危険性が高まるという問題がある。また、建築物が近接する現場では、近隣建物との境界線に近い地盤を掘削する必要があり、あまりに深い溝を掘削し過ぎると掘削面が崩落したり、近隣の地盤が沈下したり建物が傾いたり等の悪影響が及ぶ可能性がある。したがって、このような近隣土留などの工事が必要となり、作業工程が複雑になり工費が嵩むとともに、工期も長期化するという問題があった。
【０００７】
そこで、本発明は、上記のような問題を解決するものであり、建物の最下部において地盤上に構築される基礎構造に関し、工事現場の足場の危険性を低減するとともに、近隣建物に対して悪影響が及ぶのを回避できる基礎構造及びその基礎工法を提供することを目的とする。
【課題を解決するための手段】
【０００８】
上記課題を解決するためになされたものであり、本発明は、建物の最下部において地盤上に構築される基礎構造であって、
前記建物の最下部において前記地盤上に所定厚さのコンクリートで形成され、その底面が平坦なコンクリートスラブと、
前記コンクリートスラブ内に水平に埋設される鉄骨であって、少なくとも前記コンクリートスラブの周縁部において所定間隔離間されて配置される水平鉄骨と、
前記コンクリートスラブ内に配置された前記水平鉄骨の間に建込まれる鉄筋籠であって、前記水平鉄骨間を相互に接続する接続鉄筋部と、
前記コンクリートスラブ内において前記水平鉄骨に対して垂直に接続される鉄骨で形成された柱脚部と
を備えることを特徴とする。
【０００９】
また、本発明は、基礎構造を構築する基礎工法であって、
（１）  前記地盤を前記コンクリートスラブの厚さ分だけ掘削し前記コンクリートスラブの形状に合致した底面が平坦な掘削部を形成する工程と、
（２）  前記掘削部の底面から所定距離だけ離間させて前記水平鉄骨を支持して複数配置し、各水平鉄骨に対して垂直に前記柱脚部をそれぞれ接続するとともに、前記水平鉄骨の間に鉄筋籠を建込むことによって、前記水平鉄骨間を相互に接続する接続鉄筋部を構築する工程と、
（３）  前記掘削溝にコンクリートを打設して前記コンクリートスラブを形成する工程と
を含むことを特徴とする。
【００１０】
このような本発明によれば、水平に配置される水平鉄骨と、この水平鉄骨に対して垂直に接続される柱脚部とをコンクリートスラブに埋設するため、基礎の周縁部分に生じる軸力、水平力及び曲げモーメントに対する抗力が十分に得られることから、この部位の鉄筋量を低減できるとともに、コンクリート厚を薄くすることができる。また、水平鉄骨間は接続鉄筋部により相互に接続することから、この間の鉄骨量を低減させコンクリートの比率を高めることができ、圧縮力に対する抗力、軽量化を向上させることができる。
【００１１】
さらに、コンクリートスラブの少なくとも周縁部において、水平鉄骨を接続鉄筋部で接続するという簡単且つ曲げモーメントに強い構成となるため、コンクリートスラブの底面を平坦とすることができ、コンクリートスラブの厚さを薄くして、基礎の深さを浅くすることができることから、掘削溝を形成する作業を簡略化でき、且つ安全なものとすることができる。この結果、本発明によれば、建築物が近接する現場であっても、近隣建物との境界線に近い地盤を深く掘削する必要がなくなり、掘削面が崩落したり、近隣の地盤が沈下したり建物が傾いたり等の悪影響が生じるのを防止でき、さらには、掘削溝における土留などの工事も不要となり作業工程を簡素化でき、工費の圧縮、工期も短縮化が図れる。
【００１２】
上記発明において、前記水平鉄骨は、前記コンクリートスラブ内において前記水平鉄骨に接続された鉄骨であって、前記コンクリートスラブの周縁部から水平方向内側に向けて突出される内梁部を含むことが好ましい。この場合には、コンクリートスラブの内側に向けて内梁部を形成することによって、コンクリートスラブの周縁部のみならず内部における強度も確保することができ、柱からの曲げモーメントをコンクリートスラブ全体に分散させることができる。
【００１３】
上記発明において、前記接続鉄筋部は、その接続鉄筋部の端部に接続された前記水平鉄骨を構成する鉄骨の端部から当該水平鉄骨に接続された前記柱脚部に至る領域において、当該水平鉄骨を構成する鉄骨を内包するオーバーラップ部を有することが好ましい。この場合、水平鉄骨や内梁部の鉄骨と、これを内包するように配筋されるオーバーラップ部を設けることによって、鉄骨と接続鉄筋との接続部分をより強固にできるとともに、水平鉄骨や内梁部に生じる軸力や水平力、曲げモーメントをスムーズに接続鉄筋に伝達させることができる。
【００１４】
上記発明において、前記水平鉄骨の前記柱脚部を囲繞するとともに、当該水平鉄骨を構成する各鉄骨の端部を内包する複数のオーバーラップ部を相互に接続する囲繞鉄筋部をさらに備えることが好ましい。この場合には、柱脚部を囲繞する囲繞鉄筋部によって、各柱脚部を中心として、各水平鉄骨や内梁部の鉄骨を内包する各オーバーラップ部を相互に接続することができ、柱脚部からの荷重を水平鉄骨や内梁部の鉄骨から、周囲の接続鉄筋にスムーズに伝達することができ、基礎構造の柔軟性を維持することができる。
【００１５】
上記発明において、前記水平鉄骨を前記コンクリートスラブの底面から所定距離だけ離間させて支持する底面支持部をさらに備え、前記底面支持部は、前記接続鉄筋部の最下部に配筋された鉄筋の断面直径よりも長い前記所定距離を確保していることが好ましい。この場合には、コンクリートスラブの打設前に、掘削溝の底面に底面支持部を配置しておき、この底面支持部上に水平鉄骨や内梁部の鉄骨を載置するとともに、これらの鉄骨を接続する接続鉄筋を配筋していくことができる。この鉄骨を載置する際に、底面支持部は接続鉄筋の鉄筋径を維持するように配置されることから、鉄骨の建込み作業と、鉄筋の配筋作業とを並行して進めることができる。
【発明の効果】
【００１６】
以上述べたように、これらの発明によれば、建物の最下部において地盤上に構築される基礎構造に関し、基礎のコンクリートスラブに生じる軸力、水平力及び曲げモーメントに対する抗力が十分に得られることから、鉄骨量若しくは鉄筋量を低減できるとともに、コンクリートスラブに作用する圧縮力に対する抗力を向上させてコンクリート厚を薄くすることができる。また、本発明の基礎構造は、簡単且つ曲げモーメントに強い構成となるため、コンクリートスラブの底面を平坦とすることができ、コンクリートスラブの厚さを薄くして、基礎の深さを浅くすることができることから、掘削溝を形成する作業を簡略化でき、且つ安全なものとすることができる。
【００１７】
これらの結果、建築物が近接する現場であっても、近隣建物との境界線に近い地盤を深く掘削する必要がなくなり、掘削面が崩落したり、近隣の地盤が沈下したり建物が傾いたり等の悪影響が生じるのを防止でき、さらには、掘削溝における土留などの工事も不要となり作業工程を簡素化でき、工費の圧縮、工期も短縮化が図れる。
【図面の簡単な説明】
【００１８】
【図１】実施形態に係る基礎構造の全体構成を示す上面図である。
【図２】実施形態に係る基礎構造の内部鉄骨及び内部鉄筋を示す斜視図である。
【図３】実施形態に係る基礎構造の内部鉄骨及び内部鉄筋を示す三面図であり、（ａ）は上面図、（ｂ）は正面図、（ｃ）は側面図である。
【図４】実施形態に係る鉄骨構造の斜視図である。
【図５】実施形態に係る鉄骨構造及び配筋構造を示す斜視図である。
【図６】実施形態に係る配筋構造を示す斜視図である。
【図７】実施形態に係る鉄骨構造及び配筋構造を示す上面図である。
【図８】実施形態に係る鉄骨構造及び配筋構造を示す正面図である。
【図９】実施形態に係る基礎工法の手順を示す説明図である。
【発明を実施するための形態】
【００１９】
（基礎構造の全体構成）
以下に添付図面を参照して、本発明に係る基礎構造の実施形態を詳細に説明する。図１は、実施形態に係る基礎構造の全体構成を示す上面図である。
【００２０】
同図に示すように、本実施形態に係る基礎構造１は、建物の最下部において地盤５上に構築される基礎構造物であって、地盤５上に構築されたコンクリートスラブ４と、コンクリートスラブ４内に建込まれる鉄骨構造２（２ａ，２ｂ，２ｃ）と、鉄筋構造３（３ａｂ及び３ｂｃ）とから概略構成される。
【００２１】
コンクリートスラブ４は、建物の最下部において地盤５上に所定厚さのコンクリートで形成され、その底面が平坦に形成されている。このコンクリートスラブ４周縁部の四隅には、鉄骨構造２ａが配置され、この周縁部における鉄骨構造２ａの間に鉄骨構造２ｂが所定間隔で配置されている。このコンクリートスラブ４の周縁部では、鉄骨構造２ａ、２ｂの間を接続鉄筋部３ａｂで相互に接続している。また、また、鉄骨構造２ｂは、コンクリートスラブ４の内方に向けて突出された部分を有して、上面視においてＴ字形をなしている。コンクリートスラブ４の内方には、四方に接続可能な鉄骨構造２ｃが配置されており、この鉄骨構造２ｃと、周囲の鉄骨構造２ｂを接続鉄筋部３ｂｃで相互に接続することによって、全体的に格子状が形成されている。
【００２２】
鉄骨構造２は、図４に鉄骨のみを示したように、本実施形態では、コンクリートスラブ４内に所定間隔離間されて配置される水平鉄骨２１，２１及び内梁部２２と、水平鉄骨２１，２１に対して垂直に接続される柱脚部２３とから構成される。なお、図２〜図７には鉄骨構造の一例としてコンクリートスラブ４の周縁部に配置される鉄骨構造２ｂが例示されている。
【００２３】
水平鉄骨２１は、少なくともコンクリートスラブ４の周縁部において所定間隔離間されて配置され、コンクリートスラブ４内に水平に埋設される鉄骨であり、本実施形態では、Ｈ鋼が用いられている。
【００２４】
内梁部２２は、コンクリートスラブ４内において水平鉄骨２１，２１に接続された鉄骨であって、コンクリートスラブ４の周縁部から水平方向内側に向けて突出される構造材である。この内梁部２２も、柱脚部２３を構成するＨ鋼のウェブ部分に対し突当てられるようにして配置され、溶接等によって柱脚部２３と強固に接続固定されている。この内梁部２２は、水平鉄骨の一部を構成し、これにより鉄骨構造の水平鉄骨部分はＴ字形をなすこととなる。
【００２５】
柱脚部２３は、コンクリートスラブ４内において水平鉄骨２１に対して垂直に接続される鉄骨で形成された構造材であり、本実施形態では、Ｈ鋼が用いられている。この柱脚部２３と水平鉄骨２１の接続は、垂直に配置された柱脚部の下部においてＨ鋼のウエブ部分に対し、その両側方から水平鉄骨２１が突当てられるようにして配置され、溶接等によって接続固定されている。なお、この柱脚部２３には、同寸法のＨ鋼で構成された柱部材２４が垂直方向に接続されている。これらの柱部材２４と柱脚部２３とは、連結プレート２３４が溶接やボルト止めされることによって、強固に接続されている。
【００２６】
この柱脚部２３の下端部には、図４に示すように、水平鉄骨２１，２１をコンクリートスラブの底面５１ａから所定距離だけ離間させて支持する底面支持部２５が設けられている。この底面支持部２５は、接続鉄筋部３ｂｃの最下部に配筋された下部鉄筋３３の断面直径よりも長い所定距離を確保しており、この底面５１ａ上に水平鉄骨２１，２１や内梁部２２の鉄骨を載置するとともに、これらの鉄骨を接続する接続鉄筋部３ａｂ又は３ｂｃを配筋し、下部鉄筋３３周囲のコンクリート厚を確保する。
【００２７】
鉄筋構造３は、図５及び図６にも示すように、水平鉄骨２１，２１や内梁部２２の間に建込まれる接続鉄筋部３ａｂ，３ａｂと、柱脚部２３を囲繞しつつ接続鉄筋部３ａｂ，３ａｂ或いは接続鉄筋部３ｂｃを相互に接続する囲繞鉄筋部３１とから概略構成される。
【００２８】
接続鉄筋部３ａｂ及び３ｂｃは、鉄筋を組み合わせて構成された鉄筋籠であり、コンクリートスラブ４の内部に配筋され、接続鉄筋部３ａｂは、コンクリートスラブ４の周縁部に沿って延設され、接続鉄筋部３ｂｃは、コンクリートスラブ４の内方において、内梁部２２の鉄骨を相互に接続するように延設される。また、接続鉄筋部３ａｂ及び３ｂｃは、それぞれの端部に接続された水平鉄骨２１、２１或いは内梁部２２を構成する鉄骨の端部から、柱脚部２３に至る領域において、各水平鉄骨２１，２１又は内梁部２２の鉄骨を内包するオーバーラップ部３２，３２を有している。
【００２９】
囲繞鉄筋部３１は、柱脚部２３の下部周辺を囲繞するとともに、柱脚部２３に接続された各鉄骨を内包する複数のオーバーラップ部３２，３２を相互に接続する鉄筋籠である。この囲繞鉄筋部３１で柱脚部２３を囲繞することによって、各柱脚部２３を中心として、各水平鉄骨２１，２１や内梁部２２の鉄骨を内包しつつ、各オーバーラップ部３２、３２を相互に接続して、柱脚部２３からの荷重を水平鉄骨２１や内梁部２２の鉄骨を介して、周囲の接続鉄筋部３ａｂ，３ｂｃに伝達させている。
【００３０】
（基礎工法の手順）
次いで、上述した基礎構造を構築する本発明の基礎工法について説明する。図９は、実施形態に係る基礎工法の手順を示す説明図である。
【００３１】
先ず、同図（ａ）に示すように、地盤５を掘削して、掘削溝５１を形成する。この掘削溝５１は、上述したコンクリートスラブ４の厚さ分だけの深さを有しており、後に打設されるコンクリートスラブ４の形状に合致した形状に掘削されているとともに、その底面５１ａは平坦となっている。なお、この地盤５において、掘削溝５１を掘削する領域は、近隣領域との境界線に近接しており、境界線周囲の地盤の安定が要求される。次いで、同図（ｂ）に示すように、掘削溝５１を掘削した後、掘削溝５１の底面５１ａに、所定厚の捨てコンクリート５２を打設する。
【００３２】
その後、鉄骨構造２ａ〜２ｃを構築する箇所に底面支持部２５を設置する。この底面支持部２５の設置では、アンカーやピンなどをコンクリート５２に打込んで底面支持部２５を固定する。次いで、同図（ｃ）に示すように、コンクリート５２及び底面支持部２５によって、掘削溝５１の底面５１ａから所定距離だけ離間させて、水平鉄骨２１を支持しつつ設置するとともに、各鉄骨２１，２１，２２に対して垂直に柱脚部２３をそれぞれ接続する。これと併せて、水平鉄骨２１，２１の間に鉄筋籠を建込むことによって、水平鉄骨２１，２１或いは内梁部２２間を相互に接続する接続鉄筋部３ａｂ，３ｂｃを構築する。
【００３３】
そして、同図（ｄ）に示すように、掘削溝５１内にコンクリートを打設してコンクリートスラブ４を形成する。
【００３４】
（作用・効果）
以上説明した実施形態によれば、水平に配置される水平鉄骨２１や内梁部２２と、この水平鉄骨２１に対して垂直に接続される柱脚部２３とをコンクリートスラブ４に埋設するため、基礎の周縁部分に生じる軸力、水平力及び曲げモーメントに対する抗力が十分に得られることから、この部位の鉄筋量を低減できるとともに、コンクリートスラブ４のコンクリート厚を薄くすることができる。また、水平鉄骨２１間は接続鉄筋部３ｂｃにより相互に接続することから、この間の鉄骨量を低減させコンクリートの比率を高めることができ、圧縮力に対する抗力、軽量化を向上させることができる。
【００３５】
さらに、コンクリートスラブ４の少なくとも周縁部において、水平鉄骨を接続鉄筋部３ｂｃで接続するという簡単且つ曲げモーメントに強い構成となるため、コンクリートスラブ４の底面５１ａを平坦とすることができ、コンクリートスラブ４の厚さを薄くして、基礎の深さを浅くすることができることから、掘削溝５１を形成する作業を簡略化でき、且つ安全なものとすることができる。この結果、本実施形態によれば、建築物が近接する現場であっても、近隣建物との境界線に近い地盤を深く掘削する必要がなくなり、掘削面が崩落したり、近隣の地盤が沈下したり建物が傾いたり等の悪影響が生じるのを防止でき、さらには、掘削溝における土留などの工事も不要となり作業工程を簡素化でき、工費の圧縮、工期も短縮化が図れる。
【００３６】
また、本実施形態では、コンクリートスラブ４の内側に向けて内梁部２２を形成することによって、コンクリートスラブの周縁部のみならず内部における強度も確保することができ、柱からの曲げモーメントをコンクリートスラブ４全体に分散させることができる。特に、本実施形態では、水平鉄骨２１や内梁部２２の鉄骨と、これを内包するように配筋されるオーバーラップ部３２，３２を設けることによって、鉄骨と接続鉄筋との接続部分をより強固にできるとともに、水平鉄骨２１や内梁部２２に生じる軸力や水平力、曲げモーメントをスムーズに接続鉄筋部３ａｂ，３ｂｃに伝達させることができる。また、柱脚部２３を囲繞する囲繞鉄筋部３１によって、各柱脚部２３を中心として、各水平鉄骨２１や内梁部２２の鉄骨を内包する各オーバーラップ部３２，３２を相互に接続することができ、柱脚部２３からの荷重を水平鉄骨２１や内梁部２２の鉄骨から、周囲の接続鉄筋部３ａｂ，３ｂｃにスムーズに伝達することができ、基礎構造の柔軟性を維持することができる。
【００３７】
さらに、本実施形態では、コンクリートスラブ４の打設前に、掘削溝５１の底面に底面支持部２５を配置しておき、この底面支持部２５上に水平鉄骨２１や内梁部２２の鉄骨を載置するとともに、これらの鉄骨を接続する接続鉄筋部３ａｂ，３ｂｃを配筋していくことができる。この鉄骨を載置する際に、底面支持部２５は接続鉄筋部３ａｂ，３ｂｃの鉄筋径を維持するように配置されることから、鉄骨の建込み作業と、鉄筋の配筋作業とを並行して進めることができる。
【００３８】
以上述べたように、本実施形態によれば、基礎のコンクリートスラブに生じる軸力、水平力及び曲げモーメントに対する抗力が十分に得られることから、鉄骨量若しくは鉄筋量を低減できるとともに、コンクリートスラブ４に作用する圧縮力に対する抗力を向上させてコンクリート厚を薄くすることができる。また、本実施形態の基礎構造は、簡単且つ曲げモーメントに強い構成となるため、コンクリートスラブの底面を平坦とすることができ、コンクリートスラブ４の厚さを薄くして、基礎の深さを浅くすることができることから、掘削溝５１を形成する作業を簡略化でき、且つ安全なものとすることができる。
【符号の説明】
【００３９】
１…基礎構造
２…鉄骨構造
２ａ〜２ｃ…鉄骨構造
３…鉄筋構造
３ａｂ，３ｂｃ…接続鉄筋部
４…コンクリートスラブ
５…地盤
２１…水平鉄骨
２２…内梁部
２３…柱脚部
２４…柱部材
２５…底面支持部
３１…囲繞鉄筋部
３２，３２…オーバーラップ部
３３…下部鉄筋
５１…掘削溝
５１ａ…底面
５２…捨てコンクリート
２３４…連結プレート
【図１】
2018017041.tif 000003
【図２】
2018017041.tif 000004
【図３】
2018017041.tif 000005
【図４】
2018017041.tif 000006
【図５】
2018017041.tif 000007
【図６】
2018017041.tif 000008
【図７】
2018017041.tif 000009
【図８】
2018017041.tif 000010
【図９】
2018017041.tif 000011